(57)【要約】【課題】簡単な操作で、通話路を通じて、画像データ等を送受できる通信システムを提供する。【解決手段】電話機１１Ａと、電子機器１３Ａと、通信ネットワーク２０を介して前記電話機または前記電子機器と相手電話機または相手電子機器との間の通信を仲介するための通信制御装置１２Ａとからなる通信システムである。通信制御装置１２Ａは、電話機１１Ａからの発呼要求に基づき、通信ネットワーク２０を通じて相手側電話機１１Ｂとの通話路を形成しているときに、電子機器１３Ａから接続要求を受けたか否かを判別し、接続要求を受けたと判別したときに、通話路を、電話機１１Ａから電子機器１３Ａに接続変えする。電子機器は、通信制御装置１２Ａから接続変えしたことの通知を受信したときには、ユーザの操作入力に応じて、データ送出またはデータ受信する手段を備える。【選択図】図１
2006352319.tif 000002
【特許請求の範囲】
【請求項１】
電話機と、
電子機器と、
前記電話機および前記電子機器が接続され、通信ネットワークを介して前記電話機または前記電子機器と、相手電話機または相手電子機器との間の通信を仲介するための通信制御装置と
からなる通信システムであって、
前記通信制御装置は、
前記電話機からの発呼要求に基づき、前記通信ネットワークを通じて相手側電話機との通話路を形成する通話路形成手段と、
前記通話路形成手段で、前記通話路を形成しているときに、前記電子機器から前記接続要求を受けたか否かを判別する判別手段と、
前記判別手段で前記電子機器から前記接続要求を受けたと判別したときに、前記通話路を、前記電話機から前記電子機器に接続変えすると共に、前記接続変えしたことを前記電子機器に通知する手段と、
を備え、
前記電子機器は、
ネット接続キーと、
ユーザにより前記ネット接続キーが操作されたことを判別したときに、前記通信制御装置に対して通信ネットワークに対する接続要求を送出する手段と、
前記通信制御装置から前記接続変えしたことの通知を受信したときには、ユーザの操作入力に応じて、データ送出またはデータ受信する手段と
を備えることを特徴とする通信システム。
【請求項２】
請求項１に記載の通信システムにおいて、
前記通信ネットワークは、ＩＰ(Ｉｎｔｅｒｎｅｔ Ｐｒｏｔｏｃｏｌ)ネットワークであって、前記通話路は、ＩＰ電話の通話路であることを特徴とする通信システム。
【請求項３】
請求項２に記載の通信システムにおいて、
前記電話機と前記通信制御装置とが統合されたＩＰ電話装置が設けられ、当該ＩＰ電話装置と、前記電子機器とからなることを特徴とする通信システム。
【請求項４】
ネット接続キーと、
電話機が接続されており、この電話機と相手電話機との間の、通信ネットワークを介しての電話通信を仲介するための通信制御装置に接続される端子と、
ユーザにより前記ネット接続キーが操作されたことを判別したときに、前記通信制御装置に対して通信ネットワークに対する接続要求を送出する手段と、
前記通信制御装置から前記接続変えしたことの通知を受信したときには、ユーザの操作入力に応じて、データ送出またはデータ受信する手段と
を備えることを特徴とする電子機器。
【請求項５】
電話機と、電子機器と、前記電話機および前記電子機器が接続され、通信ネットワークを介して前記電話機または前記電子機器と相手電話機または相手電子機器との間の通信を仲介するための通信制御装置とからなる通信システムにおける通信方法であって、
前記通信制御装置が、前記電話機からの発呼要求に基づき、前記通信ネットワークを通じて相手側電話機との通話路を形成する通話路形成工程と、
前記電子機器が、ユーザによりネット接続キーが操作されたことを判別したときに、前記通信制御装置に対して通信ネットワークに対する接続要求を送出する工程と、
前記通信制御装置が、前記通話路形成工程により、前記通話路を形成しているときに、前記電子機器から前記接続要求を受けたか否かを判別する判別工程と、
前記通信制御装置が、前記判別工程で前記電子機器から前記接続要求を受けたと判別したときに、前記通話路を、前記電話機から前記電子機器に接続変えすると共に、前記接続変えしたことを前記電子機器に通知する工程と、
前記電子機器が、前記通信制御装置から前記接続変えしたことの通知を受信したときに、ユーザの操作入力に応じて、データ送出またはデータ受信する工程と
を備えることを特徴とする通信方法。
【発明の詳細な説明】
【技術分野】
【０００１】
この発明は、例えばＩＰ(Ｉｎｔｅｒｎｅｔ Ｐｒｏｔｏｃｏｌ)ネットワークを介しての電話の通話中に、簡易に画像データ等を送受することができるようにする通信システムおよび当該通信システムに用いられる電子機器に関する。
【背景技術】
【０００２】
インターネットが普及し、家庭用電子機器（この明細書では電気機器を含むものとする）をＩＰネットワークに接続するアプリケーションが、よく議論されている。例えば、特許文献１（特開２００４−３２１４２公報）には、ルータの設定を、当該ルータに接続された家庭用電子機器が自動で行なうようにしたものが提供されている。
【０００３】
また、特許文献２（特開２００２−１５２８５８公報）には、家庭用電子機器を制御するためのインターフェースを、ホームページに配置することが提案されている。
【０００４】
ところで、ＩＰネットワークを通じて、音楽データや画像データの送受をする場合には、送受の電子機器間で、ＩＰネットワークを通じた通信路の確立を行ない、相互の機器認証を行なう必要がある。すなわち、一方が接続先を指定すると共に、接続される側が接続を許可して、データを送受する必要がある。
【０００５】
したがって、ＩＰネットワークによる通信方法やコンピュータに詳しくないユーザが、音楽データや画像データなどの送受することは困難である、あるいは、非常に手間がかかるという問題がある。
【０００６】
この問題を改善した例として、特許文献３（２００５−９４３４７公報）に、ＩＰ電話装置が提供されている。この特許文献３のＩＰ電話装置は、ハードディスク装置などの記憶部を備えており、相手方に送りたい画像データ等を、このハードディスク装置などの記憶部に記憶し、その記憶されている画像データ等について一覧表示をし、ユーザによる選択可能としておく。そして、特許文献３では、ＩＰ電話装置において、ＩＰネットワークを通じての通話中に、ユーザは、送信したい画像データ等の選択後、送信ボタンを操作することにより、ＩＰネットワークを通じて確立した通話路（ＩＰネットワーク）を通じて、相手方に画像データ等を送るようにすることができるようにしている。
【０００７】
上記の先行技術文献は、次の通りである。
【特許文献１】特開２００４−３２１４２公報
【特許文献１】特開２００２−１５２８５８公報
【特許文献１】特開２００５−９４３４７公報
【発明の開示】
【発明が解決しようとする課題】
【０００８】
しかしながら、特許文献３の場合には、画像などのデータを送受する場合には、ハードディスク装置などの記憶部を備えた特殊なＩＰ電話装置が必要であると共に、事前に、ＩＰ電話装置の記憶部に送信したい画像データ等を記憶させておく必要があり、手間がかかり、電子機器の操作に不慣れなユーザには負担が大きいという問題がある。
【０００９】
この発明は、以上の点にかんがみ、簡単な操作で、通話路を通じて、画像データ等を送受することができる通信システムを提供することを目的とする。
【課題を解決するための手段】
【００１０】
上記の課題を解決するために、この発明は、
電話機と、
電子機器と、
前記電話機および前記電子機器が接続され、通信ネットワークを介して前記電話機または前記電子機器と、相手電話機または相手電子機器との間の通信を仲介するための通信制御装置と
からなる通信システムであって、
前記通信制御装置は、
前記電話機からの発呼要求に基づき、前記通信ネットワークを通じて相手側電話機との通話路を形成する通話路形成手段と、
前記通話路形成手段で、前記通話路を形成しているときに、前記電子機器から前記接続要求を受けたか否かを判別する判別手段と、
前記判別手段で前記電子機器から前記接続要求を受けたと判別したときに、前記通話路を、前記電話機から前記電子機器に接続変えすると共に、前記接続変えしたことを前記電子機器に通知する手段と、
を備え、
前記電子機器は、
ネット接続キーと、
ユーザにより前記ネット接続キーが操作されたことを判別したときに、前記通信制御装置に対して通信ネットワークに対する接続要求を送出する手段と、
前記通信制御装置から前記接続変えしたことの通知を受信したときには、ユーザの操作入力に応じて、データ送出またはデータ受信する手段と
を備えることを特徴とする通信システムを提供する。
【００１１】
この発明による通信システムにおいては、ユーザが電話機および通信制御装置を用いて通話路を確立して通話を行なっているときに、送信側および受信側のユーザが電子機器のネット接続キーを操作すると、それぞれの通信制御装置は、通信ネットワークを電話機側から電子機器側に切り替える。
【００１２】
したがって、この状態では、通話路を通じて送信側および受信側の電子機器が接続され、これにより、電子機器の間で、画像データ等の送受が可能となる。
【発明の効果】
【００１３】
この発明によれば、通話中に、電子機器のネット接続キーを操作するという簡単な操作をするだけで、通話路を通じて送信側および受信側の電子機器が接続され、電子機器の間で、画像データ等の送受が可能となる。
【発明を実施するための最良の形態】
【００１４】
以下、この発明による通信システムの実施形態を、図を参照しながら説明する。以下に説明する実施形態では、通信ネットワークとしてＩＰネットワークを用い、電話通信はＩＰ電話通信による行なう場合である。
【００１５】
図１は、実施形態の通信システムの概要を説明するためのブロック図である。図１において、１０Ａおよび１０Ｂは、それぞれ実施形態の通信システムを構成するもので、これら通信システム１０Ａ，１０Ｂは、それぞれＩＰネットワーク２０に接続されている。ＩＰネットワーク２０には、ＩＰ電話通信を管理するためのＳＩＰ（Ｓｅｓｓｉｏｎ  Ｉｎｉｔｉａｔｉｏｎ  Ｐｒｏｔｏｃｏｌ）サーバ３０が接続されている。
【００１６】
通信システム１０Ａおよび１０Ｂのそれぞれは、電話機１１Ａおよび１１Ｂと、通信制御装置の例としてのＳＩＰ−ＵＡ（Ｓｅｓｓｉｏｎ  Ｉｎｉｔｉａｔｉｏｎ  Ｐｒｏｔｏｃｏｌ−Ｕｓｅｒ  Ａｇｅｎｔ）１２Ａおよび１２Ｂと、電子機器の例としてのビデオレコーダ１３Ａおよび１３Ｂとからなる。
【００１７】
電話機１１Ａおよび１１Ｂは、この例では、汎用のアナログ電話機またはデジタル電話機で構成され、ＳＩＰ−ＵＡ１２Ａおよび１２Ｂにそれぞれ接続される。
【００１８】
ＳＩＰ−ＵＡ１２Ａおよび１２Ｂは、全く同一の構成を備えるもので、ＳＩＰゲートウエイの機能を有し、電話機１１Ａおよび１１Ｂと、ＩＰネットワーク２０との間に設置される。また、この実施形態では、ＳＩＰ−ＵＡ１２Ａおよび１２Ｂには、電子機器１３Ａおよび１３Ｂが接続される。
【００１９】
［通信制御装置としてのＳＩＰ−ＵＡの構成］
この実施形態の通信システムに用いられるＳＩＰ−ＵＡの構成例を、図２に示す。前述したように、ＳＩＰ−ＵＡ１２Ａと１２Ｂとでは、全く同一の構成を備えるので、図２の例は、ＳＩＰ−ＵＡ１２Ａの場合として、この実施形態の通信システムに用いられるＳＩＰ−ＵＡの構成例を示している。
【００２０】
図２に示すように、この実施形態のＳＩＰ−ＵＡ１２Ａは、システムバス１００を介して、ＣＰＵ（Ｃｅｎｔｒａｌ  Ｐｒｏｃｅｓｓｉｎｇ  Ｕｎｉｔ）１０１に対して、プログラム用ＲＯＭ（Ｒｅａｄ  Ｏｎｌｙ  Ｍｅｍｏｒｙ）１０２、ワークエリア用ＲＡＭ（Ｒａｎｄｏｍ  Ａｃｃｅｓｓ  Ｍｅｍｏｒｙ）１０３、ＩＰネットワークインターフェース１０４、パケット分解生成部１０５、送信データ処理部１０６、受信データ処理部１０７、ネットワーク情報記憶部１０８、電話機インターフェース１０９、電子機器インターフェース１１０が接続されて構成されている。
【００２１】
ＩＰネットワークインターフェース１０４は、ＩＰネットワーク２０に接続されている。電話機インターフェース１０９には、電話機１１Ａが接続されている。電子機器インターフェース１１０は、電子機器、この例ではビデオレコーダ１３Ａが接続されている。
【００２２】
ＲＯＭ１０２には、ＳＩＰ−ＵＡ１２ＡのＣＰＵ１０１が実行すべき処理プログラムが格納されている。ＲＡＭ１０３は、ＣＰＵ１０１が、前記処理プログラムを実行する際にワークエリアとして用いられる。ＲＯＭ１０２には、また、このＳＩＰ−ＵＡ１２ＡのＵＲＩ（ＵＮＩＦＯＲＭ  ＲＥＳＯＵＲＣＥ  ＩＤＥＮＴＩＦＩＥＲ）、ＩＰアドレスおよびポート番号が記憶されている。
【００２３】
パケット分解生成部１０５は、ＩＰネットワークインターフェース１０４を通じて受信したパケットを分解して、受信データ処理部１０７に供給すると共に、送信データ処理部１０６からの送信データをパケット化して、ＩＰネットワークインターフェース１０４を通じてＩＰネットワーク２０に送出する。
【００２４】
送信データ処理部１０６は、ＣＰＵ１１１によるソフトウエア処理により送信データを生成する。また、受信データ処理部１０７は、ＩＰネットワーク２０より受信したデータを、デコード処理する。
【００２５】
電話機インターフェース１０９は、電話機１１Ａからの発呼要求を受けたり、電話機１１Ａに着信の呼び出し音を送出したりすると共に、通話音声の送受を行なう。電子機器インターフェース１１０は、この実施形態では、ビデオレコーダ１３Ａからの後述するネット接続要求を受けたり、ビデオレコーダ１３Ａに対する画像データおよび／または音声データの送受をしたりする。
【００２６】
［電子機器の例としてのビデオレコーダの構成例］
図３は、この実施形態における電子機器の例としてのビデオレコーダの構成例を示すブロック図である。
【００２７】
図３に示すように、ビデオレコーダ１３Ａは、ＣＰＵ２０１に対して、システムバス２００を介して、ＲＯＭ２０２、ＲＡＭ２０３、通信インターフェース２０４、操作部インターフェース２０５、放送受信部２０６、Ｉ／Ｏポート２０７、ハードディスクドライブ２０８、外部メディアドライブ２０９、ディスプレイインターフェース２１０が接続されて構成されている。
【００２８】
通信インターフェース２０４は、ＳＩＰ−ＵＡ１２Ａに接続されている。操作部インターフェース２０５は操作部２１１に接続されている。この例では、操作部２１１には、ネット接続キー２１５（図４参照）が含まれている。ＣＰＵ２０１は、操作部２１１を通じたユーザ入力操作信号を、操作部インターフェース２０５を通じて受けて、いずれのキーが操作されたかを判別し、その判別結果に応じた処理を実行する。
【００２９】
放送受信部２０６は、テレビ放送番組を受信してデコードし、そのデコード出力である画像および音声データをシステムバス２００に送出する。この放送受信部２０６には、操作部２１１を通じたテレビ放送番組の選択操作に応じてＣＰＵ２０１により生成された選択制御信号が供給され、放送受信部２０６は、その選択制御信号に基づいて、デコードするテレビ放送番組を選択する。
【００３０】
Ｉ／Ｏポート２０７には、外部入力端子２１２が接続されており、Ｉ／Ｏポート２０７は、この外部入力端子２１２に接続される他の電子機器からの画像および音声データをシステムバス２００に取り込む。
【００３１】
ハードディスクドライブ２０８は、ユーザの操作部２１１を通じた操作指示に基づくＣＰＵ２０１からの制御命令に基づき、放送受信部２０６からのテレビ放送番組の画像および音声データやＩ／Ｏポート２０７を通じて入力された画像および音声データをハードディスクに記録したり、ハードディスクに記録されている画像および音声データを、再生やコピー（複製）などのために読み出してシステムバス２００に出力したりする。
【００３２】
外部メディアドライブ２０９は、この例では、外部記録メディアとしてＤＶＤ（Ｄｉｇｉｔａｌ  Ｖｅｒｓａｔｉｌｅ  Ｄｉｓｃ）２１３を用いるもので、ユーザの操作部２１１を通じた操作指示に基づくＣＰＵ２０１からの制御命令に基づき、放送受信部２０６からのテレビ放送番組の画像および音声データやＩ／Ｏポート２０７を通じて入力された画像および音声データをＤＶＤ２１３に記録したり、ＤＶＤ２１３に記録されている画像および音声データを、再生やコピー（複製）などのために読み出してシステムバス２００に出力したりする。
【００３３】
ディスプレイインターフェース２１３には、この例では、ディスプレイの例としてのＬＣＤ（Ｌｉｑｕｉｄ  Ｃｒｙｓｔａｌ  Ｄｉｓｐｌａｙ）２１４が接続されている。このＬＣＤ２１４には、操作部２１１を通じて操作入力されたときの電子機器の状態表示の他、ハードディスクやＤＶＤ２１３に記録されている放送番組コンテンツや、撮影された画像コンテンツなどのタイトルやサムネイルなどが表示されて、再生時の便宜に供せられるように構成されている。
【００３４】
［実施形態の通信システムにおける通信動作の説明］
＜初期登録＞
ＳＩＰ−ＵＡ１２Ａおよび１２Ｂは、ＩＰネットワーク２０に対して接続されて起動されたときに、ＳＩＰサーバ３０に対して、自己のＵＲＩ（ＵＮＩＦＯＲＭ  ＲＥＳＯＵＲＣＥ  ＩＤＥＮＴＩＦＩＥＲ）と、ＩＰアドレスおよびポート番号とを送って、登録要求をする。
【００３５】
ＳＩＰサーバ３０は、この登録要求を受信すると、ＳＩＰ−ＵＡ１２Ａ，１２Ｂの機器認証をした後、ＳＩＰ−ＵＡ１２Ａ，１２Ｂの登録要求を受け付けて、ＳＩＰ−ＵＡ１２Ａ，１２ＢそれぞれのＵＲＩ、ＩＰアドレスおよびポート番号の情報を、その記憶部に格納する。
【００３６】
このＳＩＰサーバ３０への登録が完了すると、ＳＩＰ−ＵＡ１２Ａおよび１２Ｂは、電話機１１Ａおよび１１Ｂに対するＳＩＰによる呼制御を行なうことができる。そして、ＳＩＰ−ＵＡ１２Ａ，１２Ｂによる呼制御と、ＳＩＰサーバ３０の仲介により、後述するようにして、電話機１１Ａと、電話機１１Ｂとの間でＩＰネットワーク２０を通じた通話路を形成することができる。
【００３７】
そして、通話路を形成した後には、電話機１１Ａと、電話機１１Ｂとの間では、ＳＩＰ−ＵＡ１２Ａおよび１２Ｂを通じて、ＳＩＰサーバ３０を介することなく、通話をすることができる。
【００３８】
＜通信動作の例の説明＞
次に、この実施形態における通信動作の一例を、電話をかけて、通話路を形成後、ビデオレコーダに記録されている画像および音声データを、相手方のビデオレコーダに送って、複製記録するようにする場合について説明する。
【００３９】
図４は、この通信動作の一例におけるユーザ操作を中心とした動作の概要を説明するための図である。この例は、電話機１１Ａのユーザ１４Ａが、電話機１１Ｂのユーザ１４Ｂに電話をかけて、通話路を形成した後、その通話路を通じた会話の中で、一方のユーザ、この例では電話機１１Ａのユーザ１４Ａが、ビデオレコーダ１３Ａに記録されている所定のコンテンツの画像および音声データを、電話機１１Ｂのユーザ１４Ｂに送る旨を口頭で伝え、これに対して電話機１１Ｂのユーザ１４Ｂが、その画像および音声データをビデオレコーダ１３Ｂにより記録するようにする場合である。
【００４０】
すなわち、図４に示すように、先ず、ユーザ１４Ａが、ユーザ１４Ｂに対して電話をかける操作をする。すると、後述のようにして、通話路を形成されて、通信が確立される。次に、ユーザ１４Ａと１４Ｂとの間で、通話路を通じての会話がなされ、当該会話により通信相手の認証が取られる。
【００４１】
さらに、通話路を通じての、例えば、「子供のビデオを撮ったよ。送ろうか？」、「いいね。お願いするよ。」、「それでは、ネット接続キーを押すよ。」、「うん、わかった。こちらも押すよ」などの会話により、電子機器について操作の認証をする。
【００４２】
この実施形態では、この操作認証に応じたネット接続キー２１５のユーザ操作に基づき、ＳＩＰ−ＵＡ１２Ａ，１２Ｂにおいて、通話路が電話機１１Ａ，１１Ｂから、電子機器としてのビデオレコーダ１３Ａ，１３Ｂに接続変えされて、それらの電子機器１３Ａ，１３Ｂ同士の間で、前記通話路を通じての接続が確立され、両電子機器１３Ａ，１３Ｂの間での画像および音声データの送受が可能になる。
【００４３】
図５は、このときの図１に示した各部の動作を示すシーケンス図である。このシーケンス図を参照しながら、この例の動作手順を、以下に説明する。
【００４４】
先ず、電話機１１Ａのユーザが、電話機１１Ａをオフフックし、相手先である電話機１１Ｂの電話番号を入力して、発呼要求をする。
【００４５】
すると、ＳＩＰ−ＵＡ１２Ａは、この電話機１１Ａからの発呼要求に含まれる相手先電話番号を受け取り、その相手先電話番号から、「ＳＩＰ  ＵＲＩ」と呼ばれる相手先アドレス情報を生成し、それを相手先アドレス情報として含む「呼び出し要求（ＩＮＶＩＴＥ）」を、ＩＰネットワーク２０を通じてＳＩＰサーバ３０に送信する。このとき、ＳＩＰサーバ３０に送信されるＩＰパケットの送信元アドレスとしては、ＳＩＰ−ＵＡ１２ＡのＩＰアドレスおよびポート番号が含められる。
【００４６】
ＳＩＰサーバ３０は、記憶部に格納されているＳＩＰ−ＵＡの登録情報から、当該「ＳＩＰ  ＵＲＩ」に対応するＳＩＰ−ＵＡ１２ＢのＩＰアドレスおよびポート番号を取得し、当該取得したＳＩＰ−ＵＡ１２ＢのＩＰアドレスおよびポート番号を相手先アドレス情報として含む「呼び出し要求（ＩＮＶＩＴＥ）」を、相手先であるＳＩＰ−ＵＡ１２Ｂに送るようにする。
【００４７】
ＳＩＰ−ＵＡ１２Ｂは、このＳＩＰサーバ３０からの「呼び出し要求（ＩＮＶＩＴＥ）」を受け取ると、電話機１１Ｂに対して呼び出し音を送出して、電話機１１Ｂにおいて着信音を鳴らす。また、このとき、図５では省略したが、ＳＩＰ−ＵＡ１２Ｂは、「呼び出し中」をＳＩＰサーバ３０を介してＳＩＰ−ＵＡ１２Ａに送る。ＳＩＰ−ＵＡ１２Ａは、この「呼び出し中」を受けて、いわゆるリングバックトーン（呼び出し中音）を電話機１１Ａに送り、その受話器から放音させて、呼び出し中であることを知らせる。
【００４８】
そして、電話機１１Ｂのユーザが、この着信に対して、電話機１１Ｂをオフフックして応答すると、ＳＩＰ−ＵＡ１１２Ｂは、「呼び出し成功（ＯＫ）」をＳＩＰサーバ３０に送る。ＳＩＰサーバ３０は、この「呼び出し成功（ＯＫ）」を発呼側のＳＩＰ−ＵＡ１２Ａに送る。ＳＩＰ−ＵＡ１２Ａは、この「呼び出し成功（ＯＫ）」を受け取ると、「確認応答（ＡＣＫ）」を、ＳＩＰサーバ３０を介して相手のＳＩＰ−ＵＡ１２Ｂに送る。
【００４９】
以上の呼制御により、ＳＩＰ−ＵＡ１２Ａおよび１２Ｂの双方は、相手方のアドレス情報として、ＩＰアドレスおよびポート番号を知り、それを相手先アドレス情報として用いたＩＰネットワーク２０を通じたパケット通信が可能となる。これにより、電話機１１Ａと、１１Ｂとの間で、ＳＩＰ−ＵＡ１２Ａ、１２ＢおよびＩＰネットワーク２０を通じた通話路が確立され、これ以後は、ＳＩＰサーバ３０を経由することなく、ＳＩＰ−ＵＡ１２Ａと１２Ｂとの間、すなわち、電話機１１Ａと１１Ｂとの間での通話が可能となる。
【００５０】
すなわち、電話機１１Ａまたは１１Ｂからの通話音声信号は、ＳＩＰ−ＵＡ１２Ａまたは１２Ｂで、それぞれ送信元と相手先に、対応するＩＰアドレスおよびポート番号を含めたＩＰパケットに変換され、通話路を通じて相手方のＳＩＰ−ＵＡに送られる。また、相手方から送られてくる通話音声信号のＩＰパケットは、ＳＩＰ−ＵＡ１２Ａまたは１２Ｂで、通話音声信号に変換され、電話機１１Ａまたは１１Ｂに送られる。
【００５１】
以上のような通話路を通じての通話中に、ＳＩＰ−ＵＡ１２Ａ，１２Ｂに接続されている電子機器、この例では、ビデオレコーダ１３Ａ，１３Ｂのネット接続キー２１５（図４参照）がユーザにより操作されると、図４に示すように、ビデオレコーダ１３Ａ，１３Ｂは、ＳＩＰ−ＵＡ１２Ａ，１２Ｂに対してネット接続要求を送出する。
【００５２】
ＳＩＰ−ＵＡ１２Ａ，１２Ｂは、この電子機器からのネット接続要求を受け取ると、ＩＰネットワーク２０を通じた通話路を、電話機１１Ａ，１１Ｂから切り離し、電子機器この例では、ビデオレコーダ１３Ａ，１３Ｂに接続するように接続変えする。
【００５３】
すると、ビデオレコーダ１３Ａ，１３ＢとがＩＰネットワーク２０を通じた通話路を介して互いに接続された状態になる。そこで、ビデオレコーダ１３Ａ，１３Ｂでは、接続確認のためのデータを相互に送りあい、相手機器の確認をすることができる。ここまでは、トランスポートプロトコルは、ＵＤＰ（Ｕｓｅｒ  Ｄａｔａｇｒａｍ  Ｐｒｏｔｏｃｏｌ）とされるが、これ以降は、通信品質の保証されるＴＣＰ（Ｔｒａｎｓｍｉｓｓｉｏｎ  Ｃｏｎｔｒｏｌ  Ｐｒｏｔｏｃｏｌ）にて通信がなされる。
【００５４】
すなわち、その後、この例では、画像および音声データを送出する方のビデオデコーダ１３Ａで、そのＬＣＤ２１４の画面上で、送出するビデオコンテンツあるいはビデオファイルが選択された後、送信キーが操作されると、選択されたビデオコンテンツあるいはビデオファイルの再生（読み出し）が実行され、その画像および音声データが、ＳＩＰ−ＵＡ１２Ａ，１２Ｂを通じて相手機器としてのビデオレコーダ１３Ｂにデータ通信される。このときにも、画像および音声データは、ＳＩＰ−ＵＡ１２Ａ，１２ＢでＩＰパケットに変換されてＩＰネットワーク２０を伝送される。
【００５５】
なお、受信側のビデオレコーダ１３Ｂでは、受信および記録準備のために、ユーザが受信ボタンを操作するようにしても良いが、この実施形態では、そのような受信ボタンは設けられず、接続確認された後の相手方からの画像および音声データの有無を検出したら、自動的に当該データの受信および記録を実行するように構成されている。
【００５６】
そして、送出側のビデオレコーダ１３Ａで、送出するビデオコンテンツあるいはビデオファイルの再生（読み出し）が終了すると、ビデオレコーダ１３Ａは、送出終了をＳＩＰ−ＵＡ１２Ａに通知する。ＳＩＰ−ＵＡ１２Ａは、この送出終了の通知を受け取ると、「終了通知」をＳＩＰサーバ３０を通じてＳＩＰ−ＵＡ１２Ｂに伝える。ＳＩＰ−ＵＡ１２Ｂは、その「終了通知」に基づき、送信終了をビデオレコーダ１３Ｂに伝える。送信終了の通知を受け取ったビデオレコーダ１３Ｂは、受信データの記録を終了する。
【００５７】
「終了通知」を受け取ったＳＩＰ−ＵＡ１２Ｂは、また、ＳＩＰサーバ３０を通じて終了通知に対する応答である「了解」をＳＩＰサーバ３０を通じて、相手ＳＩＰ−ＵＡ１２Ａに送る。以上により、通話路が接続され、通信終了となる。
【００５８】
［上記シーケンスにおけるＳＩＰ−ＵＡの処理動作のフローチャート］
図６および図７に、ＳＩＰ−ＵＡの処理動作例のフローチャートを示す。この図６および図７のフローチャートの各ステップの処理は、ＳＩＰ−ＵＡのＣＰＵ１０１が、ＲＯＭ１０２に格納されているプログラムにしたがって、ＲＡＭ１０３をワークエリアとして用いて実行するものである。
【００５９】
先ず、ＣＰＵ１０１は、当該ＳＩＰ−ＵＡに接続されている電話機からの発呼要求を受け付けたか否か判別し（ステップＳ１）、受け付けたと判別したときには、ＳＩＰサーバ３０に対して、前述した「ＳＩＰ  ＵＲＩ」を含む「呼び出し要求（ＩＮＶＩＴＥ）」を送出する（ステップＳ２）。そして、ＳＩＰサーバ３０からの「呼び出し中」を受けて、当該ＳＩＰ−ＵＡに接続されている電話機に呼び出し音を送る（ステップＳ３）。
【００６０】
次に、ＣＰＵ１０１は、ＳＩＰサーバ３０から「呼び出し成功」を受けたか否か判別し（ステップＳ４）、「呼び出し成功」を受けていないと判別したときには、当該ＳＩＰ−ＵＡに接続されている電話機がオンフックされたか否か判別する（ステップＳ５）。ステップＳ５で、前記電話機がオンフックされてはいないと判別したときには、ＣＰＵ１０１は、ステップＳ４に戻り、このステップＳ４移行を繰り返す。また、ステップＳ５で、前記電話機がオンフックされたと判別したときには、ＣＰＵ１０１は、呼び出し不成功の処理を行ない、この処理ルーチンを終了する。
【００６１】
ステップＳ４で、ＳＩＰサーバ３０から「呼び出し成功」を受信したと判別したときには、ＣＰＵ１０１は、ＳＩＰサーバ３０に「確認応答（ＡＣＫ）」を返す（ステップＳ７）。これにより通話路が確立され、ＩＰネットワーク３０を通じた電話通信の状態となる（ステップＳ８）。
【００６２】
次に、ＣＰＵ１０１は、この通話中において、当該ＳＩＰ−ＵＡに接続されている電子機器からネット接続要求を受信したか否か判別する（ステップＳ９）。このステップＳ９で、ネット接続要求は受信していないと判別したときには、ＣＰＵ１０１は、当該ＳＩＰ−ＵＡに接続されている電話機がオンフックされた、あるいは相手電話機がオンフックされたことによる通話終了となったか否か判別し（ステップＳ１０）、通話終了となっていないと判別したときには、ステップＳ８に戻り、このステップＳ８以降の処理を繰り返す。ステップＳ１０で、通話終了となっていると判別したときには、ＣＰＵ１０１は、通信終了処理をして（ステップＳ１３）、この処理ルーチンを終了する。
【００６３】
ステップＳ９で、通話中において、当該ＳＩＰ−ＵＡに接続されている電子機器からネット接続要求を受信したと判別したときには、ＣＰＵ１０１は、ＩＰネットワーク２０を通じた通信路を保持したまま、当該通信路に対する電話機の接続を開放し、ネット接続要求をしてきた電子機器を、当該通信路に接続して、接続変えを行なうとともに、その接続変えをしたことの通知を電子機器に送る（ステップＳ１１）。
【００６４】
その後、ＣＰＵ１０１は、電子機器からの送信終了あるいは相手からの終了通知を監視して、電子機器同士の通信が終了となるのを待ち（ステップＳ１２）、通信終了を確認すると、通信終了処理を行ない（ステップＳ１３）、この処理ルーチンを終了する。
【００６５】
ステップＳ１で、当該ＳＩＰ−ＵＡに接続されている電話機からの発呼要求を受け付けてはいないと判別したときには、ＣＰＵ１０１は、「呼び出し要求（ＩＮＶＩＴＥ）」を受信したか否か判別し（ステップＳ１４）、「呼び出し要求（ＩＮＶＩＴＥ）」を受信していないと判別したときには、その他の処理を行なう（ステップＳ１５）。
【００６６】
また、ステップＳ１４で、「呼び出し要求（ＩＮＶＩＴＥ）」を受信したと判別したときには、ＣＰＵ１０１は、当該ＳＩＰ−ＵＡに接続されている電話機に呼び出し音を送る（図７のステップＳ２１）。次に、ＣＰＵ１０１は、「呼び出し中」をＳＩＰサーバ３０に通知する（ステップＳ２２）。
【００６７】
そして、ＣＰＵ１０１は、当該ＳＩＰ−ＵＡに接続されている電話機でオフフック操作による着信応答があったか否か判別し（ステップＳ２３）、着信応答が無いと判別したときには、発呼側のオンフックに基づく終了通知があったか否か判別し（ステップＳ２４）、終了通知があったと判別したときには、終了処理をして（ステップＳ２５）、この処理ルーチンを終了する。また、ステップＳ２４で、終了通知を受けていないと判別したときには、ＣＰＵ１０１は、ステップＳ２１に戻り、このステップＳ２１以降の処理を行なう。
【００６８】
ステップＳ２３で、当該ＳＩＰ−ＵＡに接続されている電話機でオフフック操作による着信応答があったと判別したときには、ＣＰＵ１０１は、「呼び出し成功」をＳＩＰサーバ３０に送った後、ＳＩＰサーバからの「確認応答（ＡＣＫ）」を待つ（ステップＳ２７）。そして、ステップＳ２７で、ＳＩＰサーバからの「確認応答（ＡＣＫ）」の受信を確認したら、ＩＰネットワーク２０を通じた通話路を形成して、相手とのＳＩＰサーバ３０を経由しない通信による通話中状態になる（ステップＳ２８）。
【００６９】
次に、ＣＰＵ１０１は、この通話中において、当該ＳＩＰ−ＵＡに接続されている電子機器からネット接続要求を受信したか否か判別する（ステップＳ２９）。このステップＳ２９で、ネット接続要求は受信していないと判別したときには、ＣＰＵ１０１は、当該ＳＩＰ−ＵＡに接続されている電話機がオンフックされた、あるいは相手電話機がオンフックされたことによる通話終了となったか否か判別し（ステップＳ３０）、通話終了となっていないと判別したときには、ステップＳ２８に戻り、このステップＳ２８以降の処理を繰り返す。ステップＳ３０で、通話終了となっていると判別したときには、ＣＰＵ１０１は、通信終了処理をして（ステップＳ３３）、この処理ルーチンを終了する。
【００７０】
ステップＳ２９で、通話中において、当該ＳＩＰ−ＵＡに接続されている電子機器からネット接続要求を受信したと判別したときには、ＣＰＵ１０１は、ＩＰネットワーク２０を通じた通信路を保持したまま、当該通信路に対する電話機の接続を開放し、ネット接続要求をしてきた電子機器を、当該通信路に接続して、接続変えを行なうとともに、その接続変えをしたことの通知を電子機器に送る（ステップＳ３１）。
【００７１】
その後、ＣＰＵ１０１は、電子機器からの送信終了あるいは相手からの終了通知を監視して、電子機器同士の通信が終了となるのを待ち（ステップＳ３２）、通信終了を確認すると、通信終了処理を行ない（ステップＳ３３）、この処理ルーチンを終了する。
【００７２】
［上記シーケンスにおける電子機器の例としてのビデオレコーダの処理動作のフローチャート］
図８および図９に、電子機器の例としてのビデオレコーダの処理動作例のフローチャートを示す。この図８および図９のフローチャートの各ステップの処理は、ビデオレコーダのＣＰＵ２０１が、ＲＯＭ２０２に格納されているプログラムにしたがって、ＲＡＭ２０３をワークエリアとして用いて実行するものである。
【００７３】
電子機器のＣＰＵ２０１は、常にネット接続キー２１５が押下操作されたか否か判別し（ステップＳ４１）、ネット接続キー２１５が押下操作されてはいないと判別したときには、その他の処理を実行する（ステップＳ４２）。
【００７４】
また、ステップＳ４１で、ネット接続キー２１５が押下操作されたと判別したときには、ＣＰＵ２０１は、ネット接続要求をＳＩＰ−ＵＡに送る（ステップＳ４３）。そして、ＣＰＵ２０１は、ＳＩＰ−ＵＡからの通話路（通信路）を接続変えしたことの通知の受信を待ち（ステップＳ４４）、ＳＩＰ−ＵＡからの通話路を接続変えしたことの通知の受信を確認したら、当該通話路を通じて相手の電子機器との接続確認の処理を行なう（ステップＳ４５）。
【００７５】
次に、ＣＰＵ２０１は、この例では送信キーが押下されたか否か判別し（ステップＳ４６）、送信キーが押下されたと判別したときには、ＬＣＤ２１４の画面を通じて選択された記録コンテンツの画像および音声データを、当該記録コンテンツが記録されている記録媒体、すなわち、ハードディスクドライブ２０８のハードディスクあるいは外部メディアドライブのＤＶＤのいずれかから読み出して、通信インターフェース２０４を通じてＳＩＰ−ＵＡに送出するようにする（ステップＳ４７）。
【００７６】
ＳＩＰ−ＵＡは、前述したように、電子機器からの画像および音声データをＩＰパケットにして、通話路を通じて相手方のＳＩＰ−ＵＡに送るようにする。相手方のＳＩＰ−ＵＡは、当該パケットを分解して元の画像および音声データに戻し、電子機器に送るようにする。
【００７７】
次に、ＣＰＵ２０１は、選択された記録コンテンツの画像および音声データを全て読み出して、送出したか否かを判別し（ステップＳ４８）、全て送出するまでステップＳ４７を実行する。そして、ステップＳ４８で、選択された記録コンテンツの画像および音声データを全て読み出して、送出を終了したことを確認したときには、ＣＰＵ２０１は、送出終了をＳＩＰ−ＵＡに通知し（ステップＳ４９）、この処理ルーチンを終了する。
【００７８】
ＳＩＰ−ＵＡは、この送出終了の通知を受け取ると、前述のシーケンスで説明したように、通信を終了する通知をＳＩＰサーバ３０を介して相手方のＳＩＰ−ＵＡに送って、通信路を断つ処理を行なう。
【００７９】
ステップＳ４６で、送信キーが押下操作されていないと判別したときには、ＣＰＵ２０１は、保持されている通話路（通信路）を通じてデータを受信したか否か判別し（図９のステップＳ５１）、データを受信していないと判別したときには、図８のステップＳ４６に戻る。
【００８０】
また、ステップＳ５１で、保持されている通話路を通じてデータを受信したと判別したときには、ＣＰＵ２０１は、受信したデータを、ハードディスクあるいはＤＶＤのうち、ユーザにより指示された記録媒体に記録するようにする（ステップＳ５２）。いずれの記録媒体を選択するかは、ネット接続キー２１５が押下操作される前に設定されている。
【００８１】
次に、ＣＰＵ２０１は、ＳＩＰ−ＵＡから終了通知を受信したか否か判別し（ステップＳ５３）、終了通知を受信しないときには、ステップＳ５２に戻って、記録動作を継続する。また、終了通知を受信したと判別したときには、ＣＰＵ２０１は、記録動作を終了して（ステップＳ５４）、この処理ルーチンを終了する。
【００８２】
以上のようにして、この実施の形態では、電子機器にネット接続キーを設けて、ＳＩＰ−ＵＡに対して、ネット接続要求を行ない、通話中の通信路を電話機から、電子機器に接続変えさせることにより、容易に画像データや音声データの伝送を、通話中であった通信路を通じて行なうことができる。
【００８３】
このときに、ユーザは、単に、電子機器のネット接続キーおよび送信キーを操作するだけの簡単な操作でよいので、コンピュータ通信や電子機器に不慣れなユーザであっても、簡単に画像データや音声データを送受することができる。
【００８４】
［他の実施形態および変形例］
上述の実施形態では、送信キーをデータの読み出しキーとしても兼用するようにしたが、予め、送信側のビデオレコーダでは、プレイキーとポーズキーとを押した状態で待機し、一方、受信側のビデオレコーダでは、記録キーとポーズキーとを押した状態で待機状態としておいた後、送信側は、送信キーの操作により、待機状態を解除し、受信側は、データ受信により待機状態を解除するようにしても良い。
【００８５】
また、上述の実施形態では、電子機器が双方ともビデオレコーダの場合であったので、受信側は、受信データを記録するようにしたが、受信側の電子機器がテレビ受像機や、ディスプレイ付きのパーソナルコンピュータとした場合には、記録をするのではなく、受信した画像および音声データを再生して、画像をディスプレイに表示すると共に、音声をスピーカから放音させるようにすることもできる。
【００８６】
つまり、受信側の電子機器でどのような動作をするかは、受信側の電子機器の機能に応じたものとすることができるものである。
【００８７】
また、上述の実施形態では、画像および音声データの送信が終了したときには、通信路を切断するようにしたが、再度、電話機側に接続変えして、通話を継続させるようにすることもできる。
【００８８】
なお、電子機器は、上述したような画像データおよび音声データを扱い電子機器に限られるものではなく、データのやり取りを行なえるものであれば、どのような電子機器であってもこの発明の通信システムの電子機器に適用可能である。
【００８９】
なお、上述の実施形態では、電子機器間で送受するデータは、画像および音声データであったが、これに限られるものではないことはいうまでもない。例えば、画像データのみであっても良いし、音声データのみであっても良い。また、画像データや音声データではなく、ゲームプログラムのデータや、テキストデータなどであっても良い。
【００９０】
なお、上述の実施形態では、通信制御装置と電話機とは別々の装置として構成したが、このような別々の装置の構成とするのではなく、上述した通信制御装置の機能と電話機の機能とを備えるＩＰ電話装置の１個で構成してもよい。その場合には、当該ＩＰ電話装置には、電子機器を接続する端子を設け、電子機器からのネット接続要求を受けて、通話路を、電子機器側に接続変えするようにする。通信システムは、当該ＩＰ電話装置と電子機器とからなるものである。
【図面の簡単な説明】
【００９１】
【図１】この発明による通信システムの実施形態を説明するための通信インフラ全体の概要を説明するための図である。
【図２】この発明による通信システムの実施形態を構成する通信制御装置の例としてのＳＩＰ−ＵＡの構成例を示すブロック図である。
【図３】この発明による通信システムの実施形態を構成する電子機器の例としてのビデオレコーダの構成例を示すブロック図である。
【図４】この発明による通信システムの実施形態による通信の概要を説明するための図である。
【図５】この発明による通信システムの実施形態による通信の動作の一例を説明するためのシーケンス図である。
【図６】この発明による通信システムの実施形態を構成する通信制御装置の例としてのＳＩＰ−ＵＡの動作例を説明するためのフローチャートの一部である。
【図７】この発明による通信システムの実施形態を構成する通信制御装置の例としてのＳＩＰ−ＵＡの動作例を説明するためのフローチャートの一部である。
【図８】この発明による通信システムの実施形態を構成する電子機器の例としてのビデオレコーダの動作例を説明するためのフローチャートの一部である。
【図９】この発明による通信システムの実施形態を構成する電子機器の例としてのビデオレコーダの動作例を説明するためのフローチャートの一部である。
【符号の説明】
【００９２】
１１Ａ，１１Ｂ…電話機、１２Ａ，１２Ｂ…ＳＩＰ−ＵＡ、１３Ａ，１３Ｂ…ビデオレコーダ、２０…ＩＰネットワーク、３０…ＳＩＰサーバ、２１５…ネット接続キー
【図１】
2006352319.tif 000003
【図２】
2006352319.tif 000004
【図３】
2006352319.tif 000005
【図４】
2006352319.tif 000006
【図５】
2006352319.tif 000007
【図６】
2006352319.tif 000008
【図７】
2006352319.tif 000009
【図８】
2006352319.tif 000010
【図９】
2006352319.tif 000011